(57)【要約】【課題】透析装置側の接続部との気密性に優れ、体外循環回路を構成するチューブ３との溶剤接着性が良好であり、さらに体外循環回路側ハウジング２と透析装置側のハウジング１２の端部同士の溶着性が良好である、血液体外循環回路用トランスデューサを提供すること。【解決手段】体外循環回路側ハウジング２の内筒２Ｂと、透析装置側ハウジング１２は、それぞれの底壁２Ｂ２、１２．２の略中央位置に、それぞれ体外循環回路側と透析装置側方向に、管状の接続部材２ａ、１２ａを延設し、体外循環回路側ハウジング２の内筒２Ｂは、体外循環回路側ハウジング２の外筒２Ａ及び、透析装置側ハウジング１２と異なる材料であって、かつ別部品として、体外循環回路側のハウジング２の外筒２Ａに装着され、体外循環回路を構成するチューブ３と接着可能な材料より形成されている血液体外循環回路用トランスデューサ１。【選択図】図１
2011041679.tif 000002
【特許請求の範囲】
【請求項１】
体外循環回路側ハウジング（２）と、透析装置側ハウジング（１２）とを有し、
当該体外循環回路側ハウジング（２）は、さらに外筒（２Ａ）と内筒（２Ｂ）を有し、
前記体外循環回路側ハウジング（２）の外筒（２Ａ）及び内筒（２Ｂ）と、前記透析装置側ハウジング（１２）は、それぞれ略円筒状に形成され、
前記体外循環回路側ハウジング（２）の内筒（２Ｂ）と、前記透析装置側ハウジング（１２）は、それぞれの底壁（２Ｂ２、１２．２）の略中央位置に、それぞれ前記体外循環回路側と前記透析装置側方向に、管状の接続部材（２ａ、１２ａ）を延設し、
前記体外循環回路側ハウジング（２）の内筒（２Ｂ）は、当該体外循環回路側ハウジング（２）の外筒（２Ａ）及び、前記透析装置側ハウジング（１２）と異なる材料であって、かつ別部品として、当該体外循環回路側のハウジング（２）の外筒（２Ａ）に装着され、前記体外循環回路を構成するチューブ（３）と接着可能な材料より形成されている、ことを特徴とする血液体外循環回路用トランスデューサ（１）。
【請求項２】
前記体外循環回路側ハウジング（２）の外筒（２Ａ）は、底壁（２Ａ２）の略中央位置に、前記接続部材（２ａ）の挿通孔（２Ａ５）を形成し、
前記内筒（２Ｂ）は、底壁（２Ｂ２）と前記接続部材（２ａ）の当該底壁（２Ｂ２）側の端部との間に、前記外筒（２Ａ）の装着部（２Ｂ５）を形成し、
前記内筒（２Ｂ）の接続部材（２ａ）を、前記外筒（２Ａ）の挿通孔（２Ａ５）に挿入し、前記装着部（２Ｂ５）が前記外筒（２Ａ）の挿通孔（２Ａ１）の周壁に装着し、かつ前記内筒（２Ｂ）の底壁（２Ｂ２）と外壁（２Ｂ１）とからなる略円筒状部を前記外筒（２Ａ）内に収納することができるように形成したことを特徴とする請求項１に記載の血液体外循環回路用トランスデューサ（１）。
【請求項３】
前記透析装置側ハウジング（１２）は、天面に、中央から外周に向けて、順次、フィルター（１０）の挟持部（１２．１）、前記内筒（２Ｂ）の縁部（２Ｂ３）の挟持部（１２．３）、前記外筒（２Ａ）の縁部（２Ａ３）との溶着部（１２．４）を形成し、
前記内筒（２Ｂ）と、前記透析装置側ハウジング（１２）の対向する端部の間に、フィルター（１０）を配置し、
前記フィルター（１０）の挟持部（１２．１）と前記内筒（２Ｂ）の底壁（２Ｂ２）との間に、前記フィルター（１０）を挟持して溶着し、
前記内筒（２Ｂ）の挟持部（１２．３）と前記外筒（２Ａ）の底壁（２Ａ２）により、前記内筒（２Ｂ）の縁部（２Ｂ３）と底壁（２Ｂ２）との一部を挟持し、
前記透析装置側ハウジング（１２）の溶着部（１２．４）と、前記外筒（２Ａ）の縁部（２Ａ３）を溶着したことを特徴とする請求項１または請求項２に記載の血液体外循環回路用トランスデューサ（１）。
【請求項４】
前記体外循環回路側ハウジング（２）の外筒（２Ａ）と、前記透析装置側ハウジング（１２）とは、相互に溶着性のよい材料より形成され、
前記透析装置側ハウジング（１２）は、透析装置側の接続部と嵌合性のよい材料より形成され、
前記体外循環回路側ハウジング（２）の内筒（２Ｂ）と、前記チューブ（３）とは、相互に溶剤接着できる材料で形成されている、ことを特徴とする請求項１から請求項３のいずれか一項に記載の血液体外循環回路用トランスデューサ（１）。
【請求項５】
前記体外循環回路側ハウジング（２）の外筒（２Ａ）及び、前記体外循環回路側ハウジング（２）の構成材料は、ポリプロピレン、
前記体外循環回路側ハウジング（２）の内筒（２Ｂ）の構成材料は、ポリカーボネート、硬質塩化ビニル、アクリロニトリル−ブタジエン−スチレン共重合体のいずれかである、ことを特徴とする請求項１から請求項４のいずれか一項に記載の血液体外循環回路用トランスデューサ（１）。
【発明の詳細な説明】
【技術分野】
【０００１】
本発明は、血液透析、血漿交換、腹水処理等の際に使用される血液体外循環回路と透析装置等の圧力計（圧力調整器）との間に配置される血液体外循環回路用トランスデューサの改良に関する。以下、血液透析用トランスデューサの例について説明する。
【背景技術】
【０００２】
血液透析用トランスデューサは、例えば特許文献１・２に記載されているように、体外循環回路側からが流入してくる流体[空気、液体（血液）]の圧力を緩衝し、また透析装置側に液体（血液）が侵入するのを阻止するための（疎水性）フィルタをハウジング内部に装着したもので、体外循環回路の（構成部品である）チューブと、透析装置の間に配置されるものである。
特許文献１（特開２００６−１４９６３５号）には、体外循環回路側のハウジング２と、透析装置側のハウジング１２に、それぞれ（管状の）接続部３、２３（特許文献１の図１の符号）を一体成形した血液透析用トランスデューサの発明が開示されている。
特許文献１には、これらのハウジング（２、１２）は、「高圧蒸気滅菌に耐えうる材質で形成することが好ましく、例えばハウジング２、１２にはポリプロピレン（ＰＰ）、ポリカーボネート（ＰＣ）等を採用することができ、フィルター１０はポリテトラフロロエチレン等の疎水性フィルターを採用することができる。」と記載されている。
【０００３】
体外循環回路側のハウジング２と、透析装置側のハウジング１２とは、気密性を維持するため、相互に、端部を気密に溶着（超音波）している。このため、体外循環回路側のハウジング２と、透析装置側のハウジング１２は、同じ材料で形成されている。
しかし、ハウジング（２、１２）の材料に、ハウジング（２、１２）同士の溶着（超音波）性に優れ、さらにポリ塩化ビニル（ＰＶＣ）製チューブと溶剤接着可能なポリカーボネート（ＰＣ）を使用すると、透析装置側に装着されている接続部（通常、金属製オスルアーコネクター）と、透析装置側ハウジング１２の接続部（通常、メオスルアーコネクターと同じ役割を果たす管状部材が装着される）を接続する際、双方とも硬い材料であるため嵌合性が悪い（ぴったりと嵌合しない）ので、気密性が悪く、気体（空気）のリークを招来する懸念がある。
このため透析装置側ハウジング１２の接続部（金属製オスルアーコネクター）と、透析装置側も接続部との間に、別途、わざわざ別部品としてコネクター（例えば、透析装置側の接続部との気密性に優れ、透析装置側ハウジング１２に接続できるもの）を配置する必要がある。
【０００４】
他方、ハウジング（２、１２）の材料に、透析装置側に装着されている接続部（金属製オスルアーコネクター）と気密性のよいポリプロピレン（ＰＰ）を使用すると、気密性がよく気体（空気）のリークは招来しないが、体外循環回路側のハウジング２（ポリプロピレン製）は、体外循環回路を構成しているポリ塩化ビニル（ＰＶＣ）製チューブと溶剤接着できない。
体外循環回路の市販品の大部分は、材料がポリ塩化ビニル（ＰＶＣ）製であるので、ポリ塩化ビニル（ＰＶＣ）製チューブ端部と接続できるようにするには、体外循環回路側のハウジング２と、ポリ塩化ビニル（ＰＶＣ）製チューブとの間に、別途、わざわざ両方に接続可能で気密性を維持できるコネクターを配置する必要がある。
例えば特文献２に記載のように、（接続管としての機能を果たす）内筒の外周に（内面に凸部６ａを形成した）外筒を形成し、当該外筒と内筒の間に、体外循環回路を構成するポリ塩化ビニル製チューブの一端部に装着したコネクター（外周に凸部６ａと螺合できる凸部を形成したもの）を接続しなければならない。
【先行技術文献】
【特許文献】
【０００５】
【特許文献１】特開２００６−１４９６３５号公報（要約、段落[００１７]、図１、図２）
【特許文献２】特開２００１−１２９０７９号公報（要約、図１）
【発明の概要】
【発明が解決しようとする課題】
【０００６】
本発明が解決しようとする問題点は、以下のとおりである。
〈１〉ハウジング（２、１２）の材料に、各ハウジング（２、１２）同士の溶着（超音波）性の優れ、またポリ塩化ビニル（ＰＶＣ）製チューブと溶剤接着可能なポリカーボネート（ＰＣ）を使用する場合、硬い材料であるため透析装置の接続部と嵌合が悪い（ぴったりと嵌合しないので、）。このため気密性が低下し、気体（空気）のリークを招来する懸念がある点である。
〈２〉体外循環回路側のハウジング２と、透析装置側のハウジング１２の材料に透析装置の接続部と接続性（気密性）のよいポリプロピレン（ＰＰ）を使用すると、体外循環回路を構成するポリ塩化ビニル（ＰＶＣ）製チューブと溶剤接着できない点である。
【課題を解決するための手段】
【０００７】
［１］本発明は、体外循環回路側ハウジング（２）と、透析装置側ハウジング（１２）とを有し、
当該体外循環回路側ハウジング（２）は、さらに外筒（２Ａ）と内筒（２Ｂ）を有し、
前記体外循環回路側ハウジング（２）の外筒（２Ａ）及び内筒（２Ｂ）と、前記透析装置側ハウジング（１２）は、それぞれ略円筒状に形成され、
前記体外循環回路側ハウジング（２）の内筒（２Ｂ）と、前記透析装置側ハウジング（１２）は、それぞれの底壁（２Ｂ２、１２．２）の略中央位置に、それぞれ前記体外循環回路側と前記透析装置側方向に、管状の接続部材（２ａ、１２ａ）を延設し、
前記体外循環回路側ハウジング（２）の内筒（２Ｂ）は、当該体外循環回路側ハウジング（２）の外筒（２Ａ）及び、前記透析装置側ハウジング（１２）と異なる材料であって、かつ別部品として、当該体外循環回路側のハウジング（２）の外筒（２Ａ）に装着され、前記体外循環回路を構成するチューブ（３）と接着可能な材料より形成されている、血液体外循環回路用トランスデューサ（１）を提供する。
［２］本発明は、前記体外循環回路側ハウジング（２）の外筒（２Ａ）は、底壁（２Ａ２）の略中央位置に、前記接続部材（２ａ）の挿通孔（２Ａ５）を形成し、
前記内筒（２Ｂ）は、底壁（２Ｂ２）と前記接続部材（２ａ）の当該底壁（２Ｂ２）側の端部との間に、前記外筒（２Ａ）の装着部（２Ｂ５）を形成し、
前記内筒（２Ｂ）の接続部材（２ａ）を、前記外筒（２Ａ）の挿通孔（２Ａ５）に挿入し、前記装着部（２Ｂ５）が前記外筒（２Ａ）の挿通孔（２Ａ１）の周壁に装着し、かつ前記内筒（２Ｂ）の底壁（２Ｂ２）と外壁（２Ｂ１）とからなる略円筒状部を前記外筒（２Ａ）内に収納することができるように形成した［１］に記載の血液体外循環回路用トランスデューサ（１）を提供する。
［３］本発明は、前記透析装置側ハウジング（１２）は、天面に、中央から外周に向けて、順次、フィルター（１０）の挟持部（１２．１）、前記内筒（２Ｂ）の縁部（２Ｂ３）の挟持部（１２．３）、前記外筒（２Ａ）の縁部（２Ａ３）との溶着部（１２．４）を形成し、
前記内筒（２Ｂ）と、前記透析装置側ハウジング（１２）の対向する端部の間に、フィルター（１０）を配置し、
前記フィルター（１０）の挟持部（１２．１）と前記内筒（２Ｂ）の底壁（２Ｂ２）との間に、前記フィルター（１０）を挟持して溶着し、
前記内筒（２Ｂ）の挟持部（１２．３）と前記外筒（２Ａ）の底壁（２Ａ２）により、前記内筒（２Ｂ）の縁部（２Ｂ３）と底壁（２Ｂ２）との一部を挟持し、
前記透析装置側ハウジング（１２）の溶着部（１２．４）と、前記外筒（２Ａ）の縁部（２Ａ３）を溶着した［１］または［２］に記載の血液体外循環回路用トランスデューサ（１）を提供する。
［４］本発明は、前記体外循環回路側ハウジング（２）の外筒（２Ａ）と、前記透析装置側ハウジング（１２）とは、相互に溶着性のよい材料より形成され、
前記透析装置側ハウジング（１２）は、透析装置側の接続部と嵌合性のよい材料より形成され、
前記体外循環回路側ハウジング（２）の内筒（２Ｂ）と、前記チューブ（３）とは、相互に溶剤接着できる材料で形成されている、［１］から［３］のいずれか一項に記載の血液体外循環回路用トランスデューサ（１）を提供する。
［５］本発明は、前記体外循環回路側ハウジング（２）の外筒（２Ａ）及び、前記体外循環回路側ハウジング（２）の構成材料は、ポリプロピレン、
前記体外循環回路側ハウジング（２）の内筒（２Ｂ）の構成材料は、ポリカーボネート、硬質塩化ビニル、アクリロニトリル−ブタジエン−スチレン共重合体のいずれかである、［１］から［４］のいずれか一項に記載の血液体外循環回路用トランスデューサ（１）を提供する。
【発明の効果】
【０００８】
本発明の血液体外循環回路用トランスデューサ（血液透析用トランスデューサ）では、
〈１〉〈Ａ〉透析装置側の接続部（透析装置の圧力モニターに装着された金属製コネクター）との気密性に優れ、〈Ｂ〉体外循環回路を構成するチューブ３との溶剤接着性が良好であり、さらに〈Ｃ〉体外循環回路側ハウジング２と透析装置側のハウジング１２の端部同士の溶着性（超音波溶着）が良好である。
という三条件〈Ａ〉、〈Ｂ〉、〈Ｃ〉を全て充足する。
〈２〉〈１〉により、従来の（特許文献１・２に記載の）発明のように、体外循環回路側のハウジングと体外循環回路のチューブ、並びに透析装置側のハウジングと透析装置の間に、それぞれ気密性がよいコネクター等の間接的な接続部材を別途設けることなく、体外循環回路側ハウジング２と透析装置側のハウジング１２のそれぞれの接続部（２ａ、１２ａ）を、体外循環回路のチューブと透析装置側のハウジングとのそれぞれに、直接、接続できるので、操作性がよい。
【図面の簡単な説明】
【０００９】
【図１】本発明の実施例を示す概略図
【図２】比較例を示す概略図
【図３】比較例を示す概略図
【図４】比較例を示す概略図
【発明を実施するための形態】
【００１０】
図１に例示する本発明の血液体外循環回路用トランスデューサ１（血液透析用トランスデューサ１）は、体外循環回路側ハウジング２と、透析装置側ハウジング１２とを有する。
体外循環回路側ハウジング２は、さらに外筒２Ａと内筒２Ｂを有する。
体外循環回路側ハウジング２の外筒２Ａ及び内筒２Ｂと、透析装置側ハウジング１２は、それぞれ略円筒状に形成されている。
体外循環回路側ハウジング２の内筒２Ｂと、透析装置側ハウジング１２は、それぞれの底壁（２Ｂ２、１２．２）の略中央位置に、それぞれ体外循環回路側と透析装置側方向に、管状の接続部材（２ａ、１２ａ）を延設している。
体外循環回路側ハウジング２の内筒２Ｂは、体外循環回路側ハウジング２の外筒２Ａ及び、透析装置側ハウジング１２と異なる材料であって、かつ別部品として、体外循環回路側のハウジング２の外筒２Ａに装着され、体外循環回路を構成するチューブ３と溶剤接着可能な材料より形成されている。
【００１１】
体外循環回路側ハウジング２の内筒２Ｂは、体外循環回路側ハウジング２の外筒２Ａ及び、透析装置側ハウジング１２と異なる材料であって、かつ別部品として、体外循環回路側のハウジング２の外筒２Ａに装着され、体外循環回路を構成するチューブ３と溶剤接着可能な材料であれば何でもよい。
チューブ３の材料が、ポリ塩化ビニルの場合、内筒２Ｂ接続部材２ａの材料は、ポリカーボネート、硬質ポリ塩化ビニル（ＰＶＣ）、アクリロニトリル−ブタジエン−スチレン共重合体（ＡＢＳ）等が好適に使用される。
体外循環回路側ハウジング２の外筒２Ａと、透析装置側ハウジング１２の材料は、相互に対向する端部が超音波、熱等により溶着できるものであれば何でもよい。溶着手段は好ましくは気密性を確実に維持できる超音波溶着がよい。
また体外循環回路側ハウジング２（外筒２Ａと内筒２Ｂ）と透析装置側ハウジング１２の材料は、高圧蒸気滅菌処理を施しても容易に変形しないものが好ましい。
体外循環回路側ハウジング２の内筒２Ｂの材料が、ポリカーボネート（ＰＣ）、硬質ポリ塩化ビニル（ＰＶＣ）、アクリロニトリル−ブタジエン−スチレン共重合体（ＡＢＳ）の場合は、体外循環回路側ハウジング２の外筒２Ａと、透析装置側ハウジング１２の材料は、ポリプロピレン（ＰＰ）等が好適に使用される。
【００１２】
次に、血液透析用トランスデューサ１の形態の実施例について、詳述する。
体外循環回路側ハウジング２（外筒２Ａと内筒２Ｂ）において、底壁（２Ａ２、２Ｂ２）は体外循環回路方向に位置し、天面は透析装置方向に位置する。
透析装置側ハウジング１２において、壁部１２．２は透析装置方向に位置し、天面は体外循環回路方向に位置する。
体外循環回路側ハウジング２の外筒２Ａと内筒２Ｂのそれぞれの形態と、これらの組み立てについて説明する。
外筒２Ａは、外壁２Ａ１と底壁２Ａ２を有する略円筒状に形成され、底壁２Ａ２の略中央位置に、（内筒２の接続部材２ａの）挿通孔２Ａ５を形成している。
内筒２Ｂは、外壁２Ｂ１と底壁２Ｂ２を有する略円筒状に形成され、底壁２Ｂ２の略中央位置に、体外循環回路方向に、管状の接続部材２ａを延設している。
内筒２Ｂは、底壁２Ｂ２と接続部材２ａの内筒２Ｂ側の端部との間に、外筒２Ａの装着部２Ｂ５を形成している。装着部２Ｂ５は、例えば環状で、接続部材２ａよりも大径の凸部である。
体外循環回路側ハウジング２の組み立ては、図１（Ａ）、（Ｂ）に例示するように、内筒２Ｂの接続部材２ａを、外筒２Ａの挿通孔２Ａ５に挿入し、装着部２Ｂ５が挿通孔２Ａ５の周壁に装着（嵌合もしくは係合）し、かつ内筒２Ｂ（略円筒状部）を外筒２Ａ内に収納する。
内筒２Ｂ（略円筒状部）は、外筒２Ａ（略円筒状部）内に完全に収納されるように深さ（長さ）・幅（径）の双方のサイズを、外筒２Ａ（略円筒状部）より小さく形成している。
【００１３】
透析装置側ハウジング１２は、図１に例示するように、底壁１２．２の略中央位置に、透析装置側方向に、内面にルアーテーパーを有する管状の接続部材１２ａ［透析装置側の接続部（金属製オスルアーコネクター）に対向して、いわゆる「メスルアーコネクター」と同等の役割を果たす管状部材である］を延設している。
透析装置側ハウジング１２は、天面に図１に例示するように、中心から外周（外側）に向けて、順次、（フィルター１０の）挟持部１２．１、（内筒２Ｂの縁部２Ｂ３の）挟持部１２．３、（外筒２Ａ縁部２Ａ３に対向する）溶着部９が形成されている。
これらの底壁１２．２の底面から天面方向の高さは、（フィルター１０の）挟持部１２．１、（内筒２Ｂ縁部２Ｂ３の）挟持部１２．３、（外筒２Ａ縁部２Ａ３に対向する）溶着部９の順に大きく（高く）形成されている。
体外循環回路側ハウジング２の内筒２Ｂと、透析装置側ハウジング１２の対向する端部の間に、フィルター１０が配置され、これらハウジング（２、１２）の間に挟み込むことにより、固定される。また必要に応じて、超音波、熱等の溶着手段により固定するようにしてもよい。
フィルター１０は、平膜状で、疎水性のフィルターが好適に使用される。
【００１４】
（フィルター１０の）挟持部１２．１は、図１に例示するように（体外循環回路側ハウジング２の）内筒２Ｂの底壁２Ｂ２とともに、フィルター１０を挟持する（挟み込んで固定する）部位であり、また必要に応じて、超音波、熱等の手段により溶着する部位である。
（内筒２Ｂ縁部２Ｂ３の）挟持部１２．３は、図１に例示するように、内筒２Ｂの縁部２Ｂ３と底壁２Ｂ２部（の一部）を、外筒２Ａの底壁２Ａ２とともに挟持する部位である。
溶着部１２．４は、外筒２Ａの縁部２Ａ３と対向して形成され、外筒２Ａの縁部２Ａ３とともに超音波、熱等の手段により溶着する部位である。
【実施例】
【００１５】
図１から図４に示すように、本発明の実施例である図１の血液透析用トランスデューサ１と、比較例である図２から図４の血液透析用トランスデューサ１０１、２０１、３０１（外筒２Ａと内筒２Ｂの別部品とせず一体成形したもの。）について、体外循環回路側ハウジング２（外筒２Ａ、内筒２Ｂ）、１０２、２０２、３０２、透析装置側のハウジング１２、１１２、２１２、３１２、体外循環回路を構成するチューブ３、１０３、２０３、３０３に、それぞれ、表１に示す材料を使用して、
〈Ａ〉透析装置側の接続部との気密性。
〈Ｂ〉体外循環回路を構成するチューブ３との溶剤接着性。
〈Ｃ〉体外循環回路側ハウジング２と透析装置側のハウジング１２の端部同士の溶着性（超音波溶着性）。
について、比較検討した。
【００１６】
【表１】
2011041679.tif 000003
【００１７】
表１において、ＰＰは、ポリプロピレン、ＰＣは、ポリカーボネート、ＰＶＣはポリ塩化ビニルである。
評価項目〈Ａ〉において、◎は気密性良好、×は気密性不良を示している。
評価項目〈Ｂ〉において、◎は接続可、×は接続不可を示している。
評価項目〈Ｃ〉において、◎は溶着可、×は溶着不可を示している。
【００１８】
表１の結果により、本発明の実施例１は、評価項目〈Ａ〉、〈Ｂ〉、〈Ｃ〉の全てにおいて良好であった。
これに対して、
比較例１は、評価項目〈Ａ〉において、透析装置側ハウジング１１２の接続部１１２aと透析装置側の接続部材（金属製オスルアーコネクター）との気密性が悪かった。
比較例２は、評価項目〈Ｂ〉において、体外循環回路側ハウジング２０２の接続部２０２aとチューブ２０３との接続（溶剤接着）ができなかった。
比較例３は、評価項目〈Ｃ〉において、体外循環回路側ハウジング３０２の縁部３０２．３と、透析装置側のハウジング３１２の溶着部３１２．４同士の溶着ができなかった。
【００１９】
表２にハウジング（２、１２）とチューブ３（体外循環回路）の材料のコンビネーションの実施例１から実施例３を例示したが、本発明の血液体外循環回路用トランスデューサ１を構成する各部材の材料は、
（１）体外循環回路側ハウジング２の外筒２Ａと、透析装置側ハウジング１２とは、相互に溶着（超音波）性のよい材料であること。
（２）透析装置側ハウジング１２は、透析装置側の接続部（金属製オスルアーコネクター）と、嵌合性（びったりと嵌合し、気密性）がよいこと。
（３）体外循環回路側ハウジング２の内筒２Ｂと、チューブ３（体外循環回路）とは、相互に溶剤接着できる材料であること。
以上の条件（１）から（３）を充足すれば、なんでもよい。
【００２０】
【表２】
2011041679.tif 000004
【符号の説明】
【００２１】
１        血液体外循環回路用トランスデューサ（血液透析用トランスデューサ）
２        ハウジング（体外循環回路側）
２Ａ      外筒（体外循環回路側ハウジング）
２Ａ１    外壁（外筒）
２Ａ２    底壁（外筒）
２Ａ３    縁部（外筒）
２Ａ５    挿通孔（外筒）
２Ｂ      内筒（体外循環回路側ハウジング）
２Ｂ１    外壁（内筒）
２Ｂ２    底壁（内筒）
２Ｂ３    縁部（内筒）
２Ｂ５    装着部（内筒）
２ａ      接続部（内筒）
３        チューブ（体外循環回路側）
１０      フィルター（疎水性）
１２      ハウジング（透析装置側）
１２．１  （フィルターの）挟持部
１２．２  底壁（透析装置側ハウジング）
１２．３  （内筒の縁部２．３の）挟持部（透析装置側ハウジング）
１２．４  （内筒の縁部２．３と対向する）溶着部（透析装置側ハウジング）
１２ａ    接続部（透析装置側ハウジング）
Ｗ        （溶着部１２．４と外筒２Ａ縁部２Ａ３との）溶着部
【図１】
2011041679.tif 000005
【図２】
2011041679.tif 000006
【図３】
2011041679.tif 000007
【図４】
2011041679.tif 000008